(57)【要約】【課題】  緊急を要する防災情報については、コンテンツ生成機能を利用させずに直接、地上デジタル放送による映像画面に表示させることにより、コンテンツ生成による遅延時間を短縮させる防災情報表示制御システムを提供する。【解決手段】  本発明の防災情報表示制御システムは、映像撮影部からの防災監視データから文字データに変換する防災情報文字変換部と、防災監視部からの映像データに文字データを合成して出力する映像文字合成部と、防災監視データから防災情報コンテンツを作成して出力するコンテンツ生成部と、文字データが合成された映像データを符号化して出力し、映像撮影部からの映像データに防災情報コンテンツを多重化して出力する放送編成部とを備える。放送編成部は、緊急時に文字データが合成された前記映像データを符号化して出力する。【選択図】図１
2011139333.tif 000002
【特許請求の範囲】
【請求項１】
監視カメラにより被撮影対象を撮影して映像データを出力する映像撮影部と、
監視センサにより被監視対象を監視して防災監視データを出力する防災監視部と、
前記防災監視データから文字データに変換する防災情報文字変換部と、
前記映像データに前記文字データを緊急時に合成して出力する映像文字合成部と、
前記防災監視データから防災情報コンテンツを作成して出力するコンテンツ生成部と、
前記文字データが合成された前記映像データを符号化して出力し、前記映像撮影部からの映像データに前記防災情報コンテンツを多重化して出力する放送編成部と、
を備え、
前記放送編成部は、緊急時に前記文字データが合成された前記映像データを符号化して出力することを特徴とする防災情報表示制御システム。
【請求項２】
前記放送編成装置から地上波デジタル放送周波数帯域を利用して送られてくる前記放送編成装置により多重化された前記合成された画像データを表示する映像表示部と、
を備えることを特徴とする請求項1に記載する防災情報表示制御システム。
【発明の詳細な説明】
【技術分野】
【０００１】
本発明は、デジタル共聴システムにおける防災情報等の表示時間の遅延を短縮する防災情報表示制御システムに関する。
【背景技術】
【０００２】
近年、地上波テレビ放送がデジタル化され、２０１１年７月２４日付でアナログ放送が終了するため、地上波デジタル放送に対応したユーザ端末（テレビ受像機）が広く普及してきている。
【０００３】
地上波デジタル放送は、データ放送及びＩＰ（Internet Protocol）に対応していることから、映像と共にＢＭＬ（Broadcast Markup Language）の記述によるコンテンツ情報をユーザ端末であるデジタルＴＶへ配布することができる。
【０００４】
デジタルＴＶに防災情報を報知する技術として、従来映像とコンテンツ情報を同時に配信することができる機能を防災情報制御システムに適用し、河川等に設置される監視カメラの映像と水位等の防災情報コンテンツをユーザ端末に送信する技術が開発されている（例えば、特許文献１参照）。
【先行技術文献】
【特許文献】
【０００５】
【特許文献１】特開２００８−２２７９４０号公報
【発明の概要】
【発明が解決しようとする課題】
【０００６】
しかしながら、特許文献１に開示される技術では、デジタル共聴システムが一定周期で同じ内容を送りつづけるカルーセル伝送方式を採用している等の理由から、コンテンツ生成に時間を要してしまう場合があった。
【０００７】
本発明は、上記の事情に鑑みてなされたもので、緊急を要する防災情報については、コンテンツ生成機能を利用せずに直接、地上デジタル放送による映像画面に表示させることにより、コンテンツ生成による遅延時間を短縮させる防災情報表示制御システムを提供することを目的とする。
【課題を解決するための手段】
【０００８】
上記目的を達成するために、本発明の防災情報表示制御システムは、
監視カメラにより被撮影対象を撮影して映像データを出力する映像撮影部と、
監視センサにより被監視対象を監視して防災監視データを出力する防災監視部と、
前記防災監視データから文字データに変換する防災情報文字変換部と、
前記映像データに前記文字データを緊急時に合成して出力する映像文字合成部と、
前記防災監視データから防災情報コンテンツを作成して出力するコンテンツ生成部と、
前記文字データが合成された前記映像データを符号化して出力し、前記映像撮影部からの映像データに前記防災情報コンテンツを多重化して出力する放送編成部と、
を備え、
前記放送編成部は、緊急時に前記文字データが合成された前記映像データを符号化して出力することを特徴とする。
【発明の効果】
【０００９】
本発明によれば、遅滞なく防災情報をユーザ端末へ送ることができる。
【図面の簡単な説明】
【００１０】
【図１】本発明の実施形態に係る防災情報表示制御システムの構成を示す図。
【図２】本発明の実施形態に係る防災情報表示制御システムの動作を示すフローチャート。
【発明を実施するための形態】
【００１１】
以下、図面を参照して本発明の実施形態を説明する。
【００１２】
図１は、本発明の実施形態に係る防災情報表示制御システムの構成を示すブロック図である。
【００１３】
図１に示すように、この防災情報表示制御システムは、映像撮影装置１０と、文字合成装置２０と、放送編成装置３０と、防災監視装置４０と、コンテンツ生成装置５０と、データ放送送信装置６０と、放送周波数変換装置７０と、デジタルＴＶ８０から構成される。図１では、映像撮影装置１０、防災監視装置４０、デジタルＴＶ８０を１つのみ示しているが、実際には、それぞれ映像撮影装置１０、防災監視装置４０、デジタルＴＶ８０は複数台設置されている。
【００１４】
例えば、河川を監視する防災監視システムの場合、映像撮影装置１０は河川の水位監視に適した箇所に多数設置されている。防災監視装置４０は、映像撮影装置１０に対応して設置しても良いし、複数の映像撮影装置１０に対応して設置しても良い。デジタルＴＶ８０は、河川の近辺に居住する各家庭のデジタルＴＶである。
【００１５】
なお、文字合成装置２０と放送編成装置３０とを１つの装置で構成してもよく、又は文字合成装置２０とコンテンツ生成装置５０とデータ放送送信装置６０とを１つの装置で構成してもよい。
【００１６】
図１に示したこれらの構成要素は、図示していないが通信ネットワークに接続されている。通信ネットワークは、相互通信可能な回線で構成される。例えばＬＡＮ、イントラネット等のネットワークをいい、他の通信ネットワークを利用しても良い。
【００１７】
映像撮影装置１０は、例えば、アナログ式またはデジタル式の映像撮影カメラを有し、ネットワークを介して文字合成装置２０へ映像データを送信する。
【００１８】
文字合成装置２０は、映像撮影装置１０で撮影された映像データと、コンテンツ生成装置５０の文字情報制御部５３から送られてきた制御コマンドを含む文章（文字データ）とを合成する。
【００１９】
文字合成装置２０における合成方法としては、例えば、一つの画面の映像データの中から一部の映像データ（画素データ）を削除し、その削除した画素上に文字情報制御部５３からの文字データを表示するものである。このようにすることによって、撮影された映像データ上に文字データを合成することができる。
【００２０】
また他の方法として、画面上の映像データを削除せずに、同一の画素上に前記映像データおよび文字データを配置させながらも、それぞれの透明度を調節することによって、撮影された映像データ上に文字データを合成することも可能である。例えば、映像データの透明度を５０％、文字データの透明度を５０％にすることにより合成された映像データを作成する。これらの方法以外にも、通常のアナログ放送、デジタル放送における映像に文字を合成する合成技術を代替することもできる。
【００２１】
放送編成装置３０は、図１に示すように、ＭＰＥＧ２符号化部３１と多重化部３２から構成されている。
【００２２】
ＭＰＥＧ２符号化部３１は、文字合成装置２０からチャンネル毎に送られてきた映像データ、文字データ等を符号化する。つまり、（ＮＴＳＣ）アナログ信号又はＭＰＥＧ２ＰＳからＭＰＥＧ２ＴＳ等のデジタル形式へ変換する。
【００２３】
多重化部３２は、ＭＰＥＧ２符号化部３１から供給される地上デジタル対応の映像フォーマットであるＭＰＥＧ２ＴＳ（Transport Stream）の映像ストリームとコンテンツ生成装置５０からデータ放送送信装置を介して送られてくるＭＰＥＧ２ＴＳに変換されたＢＭＬコンテンツ情報と再多重（周波数分割あるいは時分割に応じた多重を含む）も行う。このような多重合成を行い、映像ストリームを生成し、１つのチャンネルを利用して放送周波数変換装置７０に送出する。
【００２４】
防災監視装置４０は、河川情報などの防災監視設備で、例えば水量計センサ等の防災監視センサを利用して計測データなど防災監視情報の収集・管理・防災監視データの作成などを行う。防災監視装置４０は、防災監視センサを持った構成である。
【００２５】
防災監視装置４０は、防災監視センサによる監視状況や気象情報を基に防災監視データとして作成し、この防災監視データを送信用の電気信号に変換した後、ネットワークを介してコンテンツ生成装置５０の文字情報処理部５１に送信する。例えば、河川の水位を監視する場合、当該河川の上流から下流、支流に設置された多数の防災監視センサで観測し、大雨による被害を防止するため、防災監視装置４０は各監視位置の水位の防災監視データ（観測情報）を報知する。
【００２６】
コンテンツ生成装置５０は、文字情報処理部５１と、文字情報管理部５２と、文字情報制御部５３とコンテンツ生成部５４から構成されている。
【００２７】
文字情報処理部５１は、防災監視装置４０から送られてきた防災監視データをデコード処理し、文字情報管理部５２およびコンテンツ生成部５４へ送出する。
【００２８】
文字情報管理部５２は、映像撮影装置１０の映像データと合成させる対象となる防災監視データの選別を行う。
【００２９】
文字情報管理部５２は、上記選別した対象となる防災監視データ（観測情報）を、文字データへ変換する。文字データとは、周辺の居住者に河川の監視情報を文字（音声での出力も併用可）で報知するものである。例えば、ある河川Ａの監視水位が５５ｃｍとした場合、この「５５ｃｍ」という防災監視データが文字情報管理部５２に送信される。ここで、危険と判断される河川Ａの警戒水位が５０ｃｍであった場合、文字情報管理部５２は「河川Ａの水位が５０ｃｍを超えましたのでご注意下さい」というような文字データを出力する。特に、危険水位を超えた場合には、周辺の居住者に河川決壊の恐れなどの注意喚起する防災報知データ又は避難勧告する防災報知データを報知する。
【００３０】
その後、文字情報管理部５２は、作成した文字データを文字情報制御部５３に送出する。この際、文字情報管理部５２は、文字情報制御部５３へ送出する文字データの送出時間も管理する。
【００３１】
つまり、コンテンツ生成部５４で生成された防災情報コンテンツが、既にデジタルＴＶ８０に表示されている場合は、文字情報管理部５２は作成した文字データを文字情報制御部５３へ送出しない。例えば、コンテンツ生成時間や、カルーセル伝送方式の遅延時間が一分以下と想定される場合は、文字情報管理部５２から文字情報制御部５３への防災報知データの送出から一分後に、当該防災報知データの送出を停止させるよう設定する。このようにすることにより、文字データの映像データへの合成時間を調整する。
【００３２】
文字情報制御部５３は、文字情報管理部５２から送られてきた文字データと制御コマンドを文字合成装置２０へ送信する。制御コマンドとは、文字合成装置２０内にあらかじめ設定されており、例えば映像データ内のどの位置に文字データを表示させるかなどの制御を行うコマンドである。
【００３３】
コンテンツ生成部５４は、放送編成装置３０のＭＰＥＧ２符号化部３１と対応をとりつつ、多重化装置３２に各地の防災情報コンテンツを生成するものであって、データ放送送信装置６０を介して多重化装置３２にコンテンツ情報を送出する。防災情報コンテンツは、文字情報処理部５１から送られてきた防災監視データから、作成されるコンテンツである。コンテンツ情報は、各防災防災監視装置４０からの情報を表示するなどして、文字データに比べより詳細な防災監視データの提供が可能である。
【００３４】
データ放送送信装置６０はコンテンツ生成部５４から伝送されてくるＢＭＬ形式の防災情報コンテンツをＭＰＥＧ２ＴＳとして送信、放送編成装置３０の多重化装置３２へ送信する。
【００３５】
したがって、本実施形態の防災情報表示制御システムでは、コンテンツ生成部５４で生成されたコンテンツ内容を放送編成装置３０の多重化部３２で合成して出力するルートと、文字情報制御部５３から出力された文字データと撮像した画像データとを画像文字合成装置２０で合成して出力する２つのルートが用意されている。そして、緊急度の高い情報の場合は、文字情報制御部５３から出力された文字データと画像データとを画像文字合成装置２０で合成して出力するルートが使用される。そして、所定の時間が経過してからはコンテンツ生成部５４で生成されたコンテンツ内容を放送編成装置３０の多重化部３２で合成して出力する。
【００３６】
このようにすることにより、時間的に遅れが生じ易いコンテンツ内容を映像ストリームに合成するという過程を経ずに、緊急度の高い防災情報をデジタルＴＶ８０へ提供することが可能となる。
【００３７】
放送周波数変換装置７０は、放送編成装置３０の多重化装置３２で多重化された映像ストリームを、テレビの受信アンテナとして機能する同軸ケーブルの周波数帯域にあった放送周波数に変換してデジタルＴＶ８０に配信する。言い換えると、時分割多重されたＴＳパケットをデジタル放送標準方式のＯＦＤＭ（直交分割多重）信号に変換し、所定の帯域に周波数変換し、デジタル放送の一波として送出する。これにより、デジタルＴＶ８０の複数の表示部に表示される映像上に、防災情報コンテンツが合成され表示される。
【００３８】
次に、本実施形態の防災情報表示制御システムの動作を、図２を参照して説明する。
【００３９】
まず、防災監視装置４０から防災情報を読み込む。読み込んだ防災情報を送信用のデータ形態（防災監視データ）に変換し、コンテンツ生成装置５０の文字情報処理部５１へ送出する（ステップ３０１）。
【００４０】
防災監視データを受け取った文字情報処理部５１は、情報処理が可能なようにデコード処理する。デコード処理した防災監視データを文字情報管理部５２およびコンテンツ生成部５４へ送出する。
【００４１】
文字情報管理部５２は、送られてきた防災監視データが警戒水位を超えている場合等の警報を知らせる必要がある場合、映像撮影装置１０の映像データと合成させる対象となる防災監視データの選別を行う。そして、選択した防災情報データを文字データに変換し、文字情報制御部５３へ送出する。
【００４２】
警報を知らせる必要がある情報がない場合、引き続き防災監視装置４０により観測される（ステップ３０２）。
【００４３】
文字情報制御部５３は、文字情報管理部５２から受信した文字データと制御コマンドを文字合成装置２０へ送信する。
【００４４】
文字合成装置２０は、映像撮影装置１０から送られてくる映像データに、制御コマンドによって指定された映像データ中の位置に文字データを合成する。文字データの画像中の合成位置は、制御コマンドにより調節され、デジタルＴＶ画面の上下の一部や、左右の一部に文字データを合成する。このようにして、緊急度の高い映像情報や音声情報を含む映像ストリームと報知する文字データとを合成して出力する。
【００４５】
その後、映像データに文字データを合成された映像は、放送編成装置３０で多重化され、放送周波数変換装置７０を介して各家庭のデジタルＴＶに表示し、それを視聴者が視聴する（ステップ３０３）。
【００４６】
警報を知らせる必要がある情報があった場合、コンテンツ生成装置５０の文字情報管理部５２は、文字情報制御部５３へ送出する文字データの送出時間を限定する。つまり、コンテンツ生成部５４によってコンテンツ情報が生成され、そのコンテンツ情報が遅滞なく視聴者側に送出され得る状態が確保されている場合は、文字情報管理部５２は作成した文字データを文字情報制御部５３へ送出しない。
【００４７】
例えば、コンテンツ生成部５４でのコンテンツ生成時間や、カルーセル伝送方式によって生じる遅れの最長の遅延時間が、一分以下（例えば、５０秒）と設定すれば、文字情報管理５２から文字情報制御部５３への送出される防災監視データは、最初の防災監視データ送信後、５０秒経過すると文字情報制御部５３への送出を停止させる。言い換えると、この５０秒間は、文字情報制御部５３から出力された文字データと画像データとを画像文字合成装置２０で合成して出力するルートが使用される。このようにすることにより、文字データの映像データへの合成時間を調整する。
【００４８】
最長の遅延時間の設定方法として、外部インターフェイスから設定時間を変更させることができるようにしておくことが好適である（ステップ３０４）。
【００４９】
その後、ステップ３０１に戻り、防災監視システムは上記一連の監視動作を引き続き行う。
【００５０】
このように、緊急を要する防災情報について、コンテンツ生成機能を利用しないルートを用いて、地上デジタル放送による映像画面に表示させることにより、コンテンツ生成による情報伝達よりも短い時間で視聴者に警戒情報を提供することができる。
【００５１】
その他、本発明は、上記実施の形態に限定されるものではなく、その要旨を逸脱しない範囲で種々変形して実施できる。
【符号の説明】
【００５２】
１０  …  映像撮影装置
２０  …  文字合成装置
３０  …  放送編成装置
３１  …  ＭＰＥＧ２符号化部
３２  …  多重化部
４０  …  防災監視装置
５０  …  コンテンツ生成装置
５１  …  文字情報処理部
５２  …  文字情報管理部
５３  …  文字情報制御部
５４  …  コンテンツ生成部
６０  …  データ放送送信装置
７０  …  放送周波数変換装置
８０  …  デジタルＴＶ
【図１】
2011139333.tif 000003
【図２】
2011139333.tif 000004